【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  制御要素に作動可能なように連結された免疫原をコードしているヌクレオチド配列および制御要素に作動可能なように連結された免疫調節タンパク質をコードしているヌクレオチド配列を含むプラスミド、ここで免疫調節タンパク質は：ＭＣＰ−１、ＭＩＰ−１α、ＭＩＰ−１β、ＩＬ−８、ＲＡＮＴＥＳ、Ｌ−セレクチン、Ｐ−セレクチン、Ｅ−セレクチン、ＣＤ３４、ＧｌｙＣＡＭ−１、ＭａｄＣＡＭ−１、ＬＦＡ−１、ＶＬＡ−１、Ｍａｃ−１、ｐ１５０．９５、ＰＥＣＡＭ、ＩＣＡＭ−１、ＩＣＡＭ−２、ＩＣＡＭ−３、ＣＤ２、ＬＦＡ−３、Ｍ−ＣＳＦ、Ｇ−ＣＳＦ、ＩＬ−４、ＩＬ−１８の突然変異形、ＣＤ４０、ＣＤ４０Ｌ、血管成長因子、ＩＬ−７、神経成長因子、血管内皮細胞増殖因子、Ｆａｓ、ＴＮＦレセプター、Ｆｌｔ、Ａｐｏ−１、ｐ５５、ＷＳＬ−１、ＤＲ３、ＴＲＡＭＰ、Ａｐｏ−３、ＡＩＲ、ＬＡＲＤ、ＮＧＲＦ、ＤＲ４、ＤＲ５、ＫＩＬＬＥＲ、ＴＲＡＩＬ−Ｒ２、ＴＲＩＣＫ２、ＤＲ６およびカスパーゼＩＣＥから成る群より選択される。
【請求項２】  免疫原が病原体抗原、癌関連抗原または自己免疫疾患に関連する細胞に結合されている抗原をコードしている標的タンパク質である請求項１に記載のプラスミド。
【請求項３】  免疫原が病原体抗原である請求項１に記載のプラスミド。
【請求項４】  免疫原がＨＩＶ−１抗原である請求項１に記載のプラスミド。
【請求項５】  免疫調節タンパク質がＩＣＡＭ−１であり、さらに制御要素に作動可能なように連結されたＣＤ８６タンパク質をコードしているヌクレオチド配列を含んでいる請求項１に記載のプラスミド。
【請求項６】  請求項１のプラスミドを含んでいる注射可能な医薬組成物。
【請求項７】  免疫原に対して個体の免疫応答を誘導するために使用される請求項１に記載のプラスミド。
【請求項８】  制御要素に作動可能なように連結された単純ヘルペス抗原をコードしているヌクレオチド配列および制御要素に作動可能なように連結された免疫調節タンパク質をコードしているヌクレオチド配列を含むプラスミド、ここで免疫調節タンパク質は：ＩＬ−８、ＲＡＮＴＥＳ、ＬＦＡ−３およびＣＤ４０Ｌから成る群より選択される。
【請求項９】  単純ヘルペス抗原がＨＳＶ２ｇＤである請求項８に記載のプラスミド。
【請求項１０】  請求項８に記載のプラスミドを含んでいる注射可能な医薬組成物。
【請求項１１】  単純ヘルペスウイルス感染に対して個体を免疫するために使用される請求項８に記載のプラスミド。
【請求項１２】  二つのプラスミドを含む組成物：
第一のプラスミドは制御要素に作動可能なように連結された免疫原をコードしているヌクレオチド配列を含んでおり；および
第二のプラスミドは制御要素に作動可能なように連結された免疫調節タンパク質をコードしているヌクレオチド配列を含んでいる、ここで免疫調節タンパク質は：ＭＣＰ−１、ＭＩＰ−１α、ＭＩＰ−１β、ＩＬ−８、ＲＡＮＴＥＳ、Ｌ−セレクチン、Ｐ−セレクチン、Ｅ−セレクチン、ＣＤ３４、ＧｌｙＣＡＭ−１、ＭａｄＣＡＭ−１、ＬＦＡ−１、ＶＬＡ−１、Ｍａｃ−１、ｐ１５０．９５、ＰＥＣＡＭ、ＩＣＡＭ−１、ＩＣＡＭ−２、ＩＣＡＭ−３、ＣＤ２、ＬＦＡ−３、Ｍ−ＣＳＦ、Ｇ−ＣＳＦ、ＩＬ−４、ＩＬ−１８の突然変異形、ＣＤ４０、ＣＤ４０Ｌ、血管成長因子、ＩＬ−７、神経成長因子、血管内皮細胞増殖因子、Ｆａｓ、ＴＮＦレセプター、Ｆｌｔ、Ａｐｏ−１、ｐ５５、ＷＳＬ−１、ＤＲ３、ＴＲＡＭＰ、Ａｐｏ−３、ＡＩＲ、ＬＡＲＤ、ＮＧＲＦ、ＤＲ４、ＤＲ５、ＫＩＬＬＥＲ、ＴＲＡＩＬ−Ｒ２、ＴＲＩＣＫ２、ＤＲ６およびカスパーゼＩＣＥから成る群より選択される。
【請求項１３】  免疫原が病原体抗原、癌関連抗原または自己免疫疾患に関連する細胞に結合されている抗原をコードしている標的タンパク質である請求項１２に記載の組成物。
【請求項１４】  免疫原が病原体抗原である請求項１２に記載の組成物。
【請求項１５】  免疫原がＨＩＶ−１抗原である請求項１２に記載の組成物。
【請求項１６】  免疫調節タンパク質がＩＣＡＭ−１であり、さらに制御要素に作動可能なように連結されたＣＤ８６タンパク質をコードしているヌクレオチド配列を含んでいる請求項１２に記載の組成物、ここで第一のプラスミド、第二のプラスミドまたは第三のプラスミドはＣＤ８６タンパク質をコードしている上記ヌクレオチド配列を含んでいる。
【請求項１７】  請求項１２に記載の組成物を含んでいる注射可能な医薬組成物。
【請求項１８】  免疫原に対して個体の免疫応答を誘導するために使用される、請求項１２に記載の組成物。
【請求項１９】  二つのプラスミドを含む組成物：
第一のプラスミドは制御要素に作動可能なように連結された単純ヘルペス抗原をコードしているヌクレオチド配列を含んでおり；および
第二のプラスミドはＩＬ−８、ＲＡＮＴＥＳ、ＬＦＡ−３またはＣＤ４０Ｌをコードしているヌクレオチド配列を含んでいる。
【請求項２０】  単純ヘルペス抗原がＨＳＶ２ｇＤである請求項１９に記載の組成物。
【請求項２１】  請求項１９に記載の組成物を含んでいる注射可能な医薬組成物。
【請求項２２】  単純ヘルペスウイルス感染に対して個体を免疫するために使用される請求項１９に記載のプラスミド。
【請求項２３】  制御要素に作動可能なように連結された免疫原をコードしているヌクレオチド配列および制御要素に作動可能なように連結された免疫調節タンパク質をコードしているヌクレオチド配列を含む組換え体ワクチン、ここで免疫調節タンパク質は：ＭＣＰ−１、ＭＩＰ−１α、ＭＩＰ−１β、ＩＬ−８、ＲＡＮＴＥＳ、Ｌ−セレクチン、Ｐ−セレクチン、Ｅ−セレクチン、ＣＤ３４、ＧｌｙＣＡＭ−１、ＭａｄＣＡＭ−１、ＬＦＡ−１、ＶＬＡ−１、Ｍａｃ−１、ｐ１５０．９５、ＰＥＣＡＭ、ＩＣＡＭ−１、ＩＣＡＭ−２、ＩＣＡＭ−３、ＣＤ２、ＬＦＡ−３、Ｍ−ＣＳＦ、Ｇ−ＣＳＦ、ＩＬ−４、ＩＬ−１８の突然変異形、ＣＤ４０、ＣＤ４０Ｌ、血管成長因子、ＩＬ−７、神経成長因子、血管内皮細胞増殖因子、Ｆａｓ、ＴＮＦレセプター、Ｆｌｔ、Ａｐｏ−１、ｐ５５、ＷＳＬ−１、ＤＲ３、ＴＲＡＭＰ、Ａｐｏ−３、ＡＩＲ、ＬＡＲＤ、ＮＧＲＦ、ＤＲ４、ＤＲ５、ＫＩＬＬＥＲ、ＴＲＡＩＬ−Ｒ２、ＴＲＩＣＫ２、ＤＲ６およびカスパーゼＩＣＥから成る群より選択される。
【請求項２４】  免疫原が病原体抗原、癌関連抗原または自己免疫疾患に関連する細胞に結合されている抗原をコードしている標的タンパク質である請求項２３に記載の組換え体ワクチン。
【請求項２５】  免疫原が病原体抗原である請求項２３に記載の組換え体ワクチン。
【請求項２６】  免疫調節タンパク質がＩＣＡＭ−１であり、さらに制御要素に作動可能なように連結されたＣＤ８６タンパク質をコードしているヌクレオチド配列を含んでいる請求項２３に記載の組換え体ワクチン。
【請求項２７】  免疫原に対して個体の免疫応答を誘導するために使用される請求項１に記載の組換え体ワクチン。
【請求項２８】  組換え体ワクチンが組換え体ワクシニアワクチンである請求項２３に記載の組換え体ワクチン。
【請求項２９】  免疫原が病原体抗原である請求項２３に記載の組換え体ワクチン。
【請求項３０】  免疫原に対して個体の免疫応答を誘導するために使用される請求項２３に記載の組換え体ワクチン。
【請求項３１】  制御要素に作動可能なように連結された免疫調節タンパク質をコードしているヌクレオチド配列を含む生きている弱力化した病原体、ここで免疫調節タンパク質は：ＭＣＰ−１、ＭＩＰ−１α、ＭＩＰ−１β、ＩＬ−８、ＲＡＮＴＥＳ、Ｌ−セレクチン、Ｐ−セレクチン、Ｅ−セレクチン、ＣＤ３４、ＧｌｙＣＡＭ−１、ＭａｄＣＡＭ−１、ＬＦＡ−１、ＶＬＡ−１、Ｍａｃ−１、ｐ１５０．９５、ＰＥＣＡＭ、ＩＣＡＭ−１、ＩＣＡＭ−２、ＩＣＡＭ−３、ＣＤ２、ＬＦＡ−３、Ｍ−ＣＳＦ、Ｇ−ＣＳＦ、ＩＬ−４、ＩＬ−１８の突然変異形、ＣＤ４０、ＣＤ４０Ｌ、血管成長因子、ＩＬ−７、神経成長因子、血管内皮細胞増殖因子、Ｆａｓ、ＴＮＦレセプター、Ｆｌｔ、Ａｐｏ−１、ｐ５５、ＷＳＬ−１、ＤＲ３、ＴＲＡＭＰ、Ａｐｏ−３、ＡＩＲ、ＬＡＲＤ、ＮＧＲＦ、ＤＲ４、ＤＲ５、ＫＩＬＬＥＲ、ＴＲＡＩＬ−Ｒ２、ＴＲＩＣＫ２、ＤＲ６およびカスパーゼＩＣＥから成る群より選択される。
【請求項３２】  病原体に対して個体を免疫するために使用される請求項３１に記載の生きている弱力化した病原体。
【請求項３３】  免疫原に対して個体の免疫応答を誘導するために使用される、以下：
制御要素に作動可能なように連結された免疫原をコードしているヌクレオチド配列を含んでいる免疫原および／または核酸分子；および
制御要素に作動可能なように連結された免疫調節タンパク質をコードしているヌクレオチド配列を含んでいる免疫調節タンパク質および／または核酸分子
の組み合わせであって、但し、免疫調節タンパク質は：ＭＣＰ−１、ＭＩＰ−１α、ＭＩＰ−１β、ＩＬ−８、ＲＡＮＴＥＳ、Ｌ−セレクチン、Ｐ−セレクチン、Ｅ−セレクチン、ＣＤ３４、ＧｌｙＣＡＭ−１、ＭａｄＣＡＭ−１、ＬＦＡ−１、ＶＬＡ−１、Ｍａｃ−１、ｐ１５０．９５、ＰＥＣＡＭ、ＩＣＡＭ−１、ＩＣＡＭ−２、ＩＣＡＭ−３、ＣＤ２、ＬＦＡ−３、Ｍ−ＣＳＦ、Ｇ−ＣＳＦ、ＩＬ−４、ＩＬ−１８の突然変異形、ＣＤ４０、ＣＤ４０Ｌ、血管成長因子、ＩＬ−７、神経成長因子、血管内皮細胞増殖因子、Ｆａｓ、ＴＮＦレセプター、Ｆｌｔ、Ａｐｏ−１、ｐ５５、ＷＳＬ−１、ＤＲ３、ＴＲＡＭＰ、Ａｐｏ−３、ＡＩＲ、ＬＡＲＤ、ＮＧＲＦ、ＤＲ４、ＤＲ５、ＫＩＬＬＥＲ、ＴＲＡＩＬ−Ｒ２、ＴＲＩＣＫ２、ＤＲ６およびカスパーゼＩＣＥから成る群より選択される、
上記組み合わせ。
【請求項３４】  免疫原が病原体抗原、癌関連抗原または自己免疫疾患に関連する細胞に結合されている抗原をコードしている標的タンパク質である請求項３３に記載の組み合わせ。
【請求項３５】  免疫原が病原体抗原である請求項３３に記載の組み合わせ。
【請求項３６】  免疫原がＨＩＶ−１抗原である請求項３３に記載の組み合わせ。
【請求項３７】  免疫調節タンパク質がＩＣＡＭ−１であり、そしてさらにＣＤ８６タンパク質または制御要素に作動可能なように連結されたＣＤ８６タンパク質をコードしているヌクレオチド配列を含む、請求項３３に記載の組み合わせ。
【請求項３８】  ＭＣＰ−１、ＭＩＰ−１α、ＭＩＰ−１β、ＩＬ−８、ＲＡＮＴＥＳ、Ｌ−セレクチン、Ｐ−セレクチン、Ｅ−セレクチン、ＣＤ３４、ＧｌｙＣＡＭ−１、ＭａｄＣＡＭ−１、ＬＦＡ−１、ＶＬＡ−１、Ｍａｃ−１、ｐ１５０．９５、ＰＥＣＡＭ、ＩＣＡＭ−１、ＩＣＡＭ−２、ＩＣＡＭ−３、ＣＤ２、ＬＦＡ−３、Ｍ−ＣＳＦ、Ｇ−ＣＳＦ、ＩＬ−４、ＩＬ−１８の突然変異形、ＣＤ４０、ＣＤ４０Ｌ、血管成長因子、ＩＬ−７、神経成長因子、血管内皮細胞増殖因子、Ｆａｓ、ＴＮＦレセプター、Ｆｌｔ、Ａｐｏ−１、ｐ５５、ＷＳＬ−１、ＤＲ３、ＴＲＡＭＰ、Ａｐｏ−３、ＡＩＲ、ＬＡＲＤ、ＮＧＲＦ、ＤＲ４、ＤＲ５、ＫＩＬＬＥＲ、ＴＲＡＩＬ−Ｒ２、ＴＲＩＣＫ２、ＤＲ６およびカスパーゼＩＣＥから成る群より選択される免疫調節タンパク質へ特異的に結合する抗体を治療に有効量含んでいる注射可能な医薬組成物。
【請求項３９】  自己免疫疾患を持つ個体を処置するために使用される、請求項３８に記載の注射可能な医薬組成物。